(57)【特許請求の範囲】
【請求項１】
一方が情報が記録されていない非情報面であり他方が情報がピットとして記録されている情報面である透明基板を具備し、
前記情報面は情報が記録されている情報領域と前記情報領域の外側に位置する前記情報が記録されていない非情報領域とを備えている光情報記録媒体において、
前記情報面の前記情報領域を覆って形成された第１の反射層と、
前記情報面の前記非情報領域上に形成され前記第１の反射層との間に環状領域を介して形成された第２の反射層とを具備することを特徴とする光情報記録媒体。
【請求項２】
請求項１記載の光情報記録媒体において、前記透明基板の前記情報面側に形成された前記第１の反射層及び前記第２の反射層の上方に、文字または図柄からなる表示層を具備することを特徴とする光情報記録媒体。
【請求項３】
請求項２記載の光情報記録媒体において、前記表示層は前記透明基板側に形成された第１の表示層及び該第１の表示層上に形成された第２の表示層とからなり、
前記第１の表示層は、前記環状領域に相対する領域に前記透明基板側から見て正対する文字または図柄からなる逆表示が形成されていることを特徴とする光情報記録媒体。
【請求項４】
請求項２記載の光情報記録媒体において、前記表示層は、前記情報領域の最外周位置に相対する位置から内側の領域に形成された内周表示層と、前記非情報領域に相対する領域上に前記内周表示層と不連続に形成された外周表示層を備えることを特徴とする光情報記録媒体。
【発明の詳細な説明】
【０００１】
【発明の属する技術分野】
本発明は、レーザ光により情報の記録・再生を行う光情報記録媒体に関する。
【０００２】
【従来の技術】
透明基板の片側の面に記録情報に対応したピットと呼ばれる微小な窪みを形成し、透明基板を通してピットにレーザ光の焦点を合わせ、レーザ光の反射光量の変化によって記録情報を再生する光情報記録媒体が知られており、コンパクトディスク（ＣＤ：Compact Disk）が代表的である。
【０００３】
ＣＤは、直径１２０ｍｍ、厚さ１．２ｍｍの透明基板に１．６μｍのトラックピッチで最短ピット長約０．９μｍのピット列が形成され、再生時の線速度は約１．２〜１．４ｍ／ｓ一定であり、約６５０Ｍバイトの記録容量を有しており、音楽や映像等のデジタルデータが記録されている。デジタル音声を記録した場合、演奏時間は最長７４分である。以後、この仕様のＣＤを１２ｃｍＣＤとする。
【０００４】
また、ＣＤには、直径８０ｍｍ、厚さ１．２ｍｍの透明基板に１．６μｍのトラックピッチで最短ピット長約０．９μｍのピット列が形成され、再生時の線速度は約１．２〜１．４ｍ／ｓ一定であり、約１８０Ｍバイトの記録容量を有しており、音楽や映像等のデジタルデータが記録されているＣＤシングルがある。デジタル音声を記録した場合、演奏時間は最長２０分である。以後、この仕様のＣＤを８ｃｍＣＤとする。
【０００５】
一般に、ＣＤまたはデジタルバーサタイルディスク（ＤＶＤ：Digital Versatile Disk）等を再生する光情報記録媒体再生装置（以下、ＣＤ再生装置とする。）のトレイには、１２ｃｍＣＤの外径に相当する凹部と、８ｃｍＣＤの外径に相当する凹部とが同心円状に形成されており、どちらのＣＤを再生する場合もこれらの凹部によりディスクの位置出しができるようになっている。
【０００６】
しかし、８ｃｍＣＤが普及する前に製造・販売された古い型式等のＣＤ再生装置には、トレイに８ｃｍＣＤの外径に相当する凹部が形成されていないものがある。このような型式のＣＤ再生装置において、８ｃｍＣＤを再生する場合は、１２ｃｍＣＤと同じ外径にするためのアダプタを８ｃｍＣＤの外周部に取り付けることによって、トレイの１２ｃｍＣＤ用の凹部で位置出しをして再生を行っていた。
【０００７】
また、最近になって、直径１２ｃｍ、厚さ１．２ｍｍの透明基板を有し、データの記録領域が８ｃｍＣＤ仕様であるＣＤ、つまり、ディスクの外径は１２ｃｍであるが、記録領域は８ｃｍＣＤと同様である仕様のＣＤが発売されている。以後、この仕様のＣＤを１２ｃｍマキシＣＤとする。１２ｃｍマキシＣＤは、その外形が１２ｃｍＣＤと同一なので、上述したように、８ｃｍＣＤの外径に相当する凹部がトレイに形成されていないＣＤ再生装置においても、アダプタを装着せずに再生することができる８ｃｍＣＤ仕様のＣＤとして位置づけすることができる。
【０００８】
１２ｃｍマキシＣＤは、透明基板の情報面の情報領域がある部分（直径約８ｃｍまでの部分）のみが反射層で覆れ、情報領域よりも外側には反射層が形成されていない。
【０００９】
このように、１２ｃｍマキシＣＤは、情報領域よりも外側に反射層が形成されていないために、情報が記録されている情報領域と情報が記録されていない非情報領域とをユーザが識別することができ、また、非情報領域をユーザが手指で摘むことができるため扱い易いという利点や、一目で１２ｃｍＣＤとの識別ができるという利点がある。
【００１０】
【発明が解決しようとする課題】
しかしながら、１２ｃｍマキシＣＤを再生することができないＣＤ再生装置がある。一般的に、ＣＤ再生装置は、情報を再生するための光ピックアップから出射されたレーザ光またはＬＥＤ等の他の光源から出射された光ビーム（以後、モニタ光とする。）を、トレイのＣＤが載置される所定の位置に照射し、その反射光の有無（またはフォーカスサーボがかかるか否か）によってターンテーブルにＣＤが載置されているか否かを検出する手段を具備している。
【００１１】
つまり、ターンテーブルにＣＤが載置されている場合は、ＣＤの情報面上に形成された反射層によって、照射されたモニタ光が反射され、その反射された戻り光を検出することによってＣＤがターンテーブルに載置されていることを知ることができる。また、ターンテーブルにＣＤが載置されていない場合は、モニタ光はそのまま通過し、戻り光が検出されないため、ＣＤがターンテーブルに載置されていないことを検知している。
【００１２】
しかし、８ｃｍＣＤが発売される以前に製造、販売されたＣＤ再生装置は、１２ｃｍＣＤを再生することのみを前提としているために、機種によっては、モニタ光を照射する位置が、トレイのＣＤを載置する箇所の中心から直径８ｃｍよりも外側、正確には直径１００ｍｍよりも外側にあるものがある。
【００１３】
このようなＣＤ再生装置において１２ｃｍマキシＣＤを再生しようとした場合、モニタ光は、１２ｃｍマキシＣＤの情報領域より外側の反射層が形成されていない領域に照射されるため、モニタ光は透明基板を透過し、戻り光を検出することができない。つまり、ＣＤ再生装置は、ターンテーブルにＣＤが載置されていないと判断するため、再生動作を行わないという問題があった。
【００１４】
本発明の目的は、全ての光情報記録媒体再生装置によって再生可能であり、かつ、ユーザは目視によって、ディスクの再生面側または印刷表示面側から情報領域の最外周位置を認識することができ、透明基板のどの領域を手指で摘んでよいかを容易に判断することができる光情報記録媒体を提供することにある。また、従来のＣＤとは異った効果的な印刷表示が可能な光情報記録媒体を提供することにある。
【００１５】
【課題を解決するための手段】
上記課題を解決するために、本発明の請求項１記載の発明は、
一方が情報が記録されていない非情報面であり他方が情報がピットとして記録されている情報面である透明基板を具備し、
前記情報面は情報が記録されている情報領域と前記情報領域の外側に位置する前記情報が記録されていない非情報領域とを備えた光情報記録媒体において、
前記情報面の前記情報領域を覆って形成された第１の反射層と、
前記情報面の前記非情報領域上に形成され前記第１の反射層との間に環状領域を介して形成された第２の反射層とを具備することを特徴とするものである。
【００１６】
本発明の請求項２記載の発明は、
請求項１記載の光情報記録媒体において、前記透明基板の前記情報面側に形成された前記第１の反射層及び前記第２の反射層の上方に、文字または図柄からなる表示層を具備することを特徴とするものである。
【００１７】
また、本発明の請求項３記載の発明は、
請求項２記載の光情報記録媒体において、前記表示層は前記透明基板側に形成された第１の表示層及び該第１の表示層上に形成された第２の表示層とからなり、
前記第１の表示層は、前記環状領域に相対する領域に前記透明基板側から見て正対する文字または図柄からなる逆表示が形成されていることを特徴とするものである。
【００１８】
また、本発明の請求項４記載の発明は、
請求項２記載の光情報記録媒体において、前記表示層は、前記情報領域の最外周位置に相対する位置から内側の領域に形成された内周表示層と、前記非情報領域に相対する領域上に前記内周表示層と不連続に形成された外周表示層とを備えることを特徴とするものである。
【００１９】
本発明の請求項１記載の光情報記録媒体によれば、情報領域の外周端と非情報領域との間で環状の領域を介して反射層が不連続に形成されているため、ユーザは目視によって、ディスクの再生面側から情報領域の最外周位置を認識することができ、透明基板のどの領域を手指で摘んでよいかを容易に判断することができる。また、非情報領域の所定の位置にモニタ光を反射するための環状の第２の反射層を有しているため、全ての光情報記録媒体再生装置で再生することができる。
【００２０】
本発明の請求項２及び３記載の光情報記録媒体によれば、第１の反射層と第２の反射層との間の反射層が形成されていない領域を介して文字や模様からなる表示層が再生面側から視認することができるため、従来、再生面側の反対側からしか見えなかった文字や模様を再生面側からも見ることができ、より多くの情報を表示することができる。
【００２１】
本発明の請求項４記載の光情報記録媒体によれば、再生面側と反対側の面に印刷した表示層が、情報領域の外周端に相対する位置と非情報領域に相対する領域との間で環状の領域を介して不連続に形成されているため、ユーザはディスクの再生面側と反対側の印刷面からも目視によって情報領域の最外周位置を認識することができ、透明基板のどの領域を手指で摘んでよいかを容易に判断することができる。
【００２２】
【発明の実施の形態】
以下、本発明の光情報記録媒体の実施例について図面を用いて詳細に説明する。図１は、本発明の第１の実施例である光情報記録媒体を再生面側から見た状態を示す模式図である。図２は、図１の光情報記録媒体の断面を示す模式図である。図中、１は透明基板、２は情報領域、３は非情報領域、４は第１の反射層、５は環状領域、６は第２の反射層、７は中心孔、８は透明保護層、９は表示層を示す。
【００２３】
透明基板１は、直径１２ｃｍ、厚さ１．２ｍｍのポリカーボネート樹脂、アクリル樹脂またはガラス等からなっており、直径１５ｍｍの中心孔７を有している。透明基板１の片側には情報がピット列として記録されている情報領域２が形成されている。透明基板１の情報領域２が形成されている側の面を、以後、情報面とする。本発明の光情報記録媒体は、１２ｃｍマキシＣＤであるから、情報領域２の外周端は、透明基板１の中心から直径８０ｍｍの位置よりも内側にある。情報領域２は再生レーザ光の大半を反射するアルミニウム、金等の材料からなる第１の反射層４で覆われている。
【００２４】
透明基板１の情報面の情報領域２の外側には情報が記録されていない非情報領域３があり、非情報領域３はピット列等が形成されていない平滑な面となっている。非情報領域３の内周側、つまり、情報領域２の外周端に隣接する領域は、反射層等が形成されていない環状領域５がある。そして、非情報領域３の環状領域５の外側には第２の反射層６が環状に形成されている領域がある。
【００２５】
ここで、第２の反射層６は、第１の反射層４と不連続になるように形成することが必要である。第１の反射層４と第２の反射層６を不連続に形成することによって環状領域５が形成され、この環状領域５によって、ユーザは情報が記録されている情報領域２の外周端を判別することができ、情報領域２を手指等で触れないようにしようと意識させることができる。
【００２６】
第２の反射層６は、少なくとも直径１００〜１１８ｍｍの範囲に形成されていればよい。これは、先に述べたように、ディスクがターンテーブルに載置されているか否かを検出するためのモニタ光を照射する位置が、直径１００ｍｍよりも外側にあるからである。
【００２７】
また、モニタ光が必ずしも高い反射率（情報領域２の反射率と同様の７０％以上の反射率）で反射されなくても、ある程度の反射率で反射されればディスクが載置されていると判断するＣＤ再生装置が殆どなので、第２の反射層６は、アルミニウム、金等の金属に限らず、ある程度の反射率を有するインク等（銀色インク等）を印刷することによって形成してもよい。
【００２８】
第１の反射層４及び第２の反射層６が形成された情報面は紫外線硬化樹脂等の材料からなる透明保護層８で覆われる。そして、透明保護層８の表面には、紫外線硬化樹脂等の樹脂に染料または顔料を混合したインクにより、情報領域２に記録されている情報に関係を有する文字情報（例えば、アーチスト名、ディスクのタイトル、製造販売者の商標等）やその他の文字情報及びイラスト等の図柄が印刷された表示層９が形成されている。
【００２９】
ここで、表示層９の透明基板１側から環状領域５を通して見える領域の表示を表裏どちらから見てもよいイラストや模様等の図柄としておけば、透明基板１側から見ても違和感がなく表示を視認することができ、ディスクの付加価値を高めることができる。
【００３０】
本発明の光情報記録媒体の他の実施例について説明する。図３は、本発明の第２の実施例である光情報記録媒体の断面を示す模式図である。図４は、図３の光情報記録媒体を再生面側から見た状態を示す模式図である。図中、図１及び図２と同じ箇所を示すものには同じ符号を付した。１０は第１の表示層、１１は第２の表示層、１２は逆表示を示す。
【００３１】
本実施例の光情報記録媒体において、上述の第１の実施例の光情報記録媒体の構成と異なる点は、表示層が２層で構成されていることである。透明保護層８の表面には、順に、紫外線硬化樹脂等の樹脂に染料または顔料を混合したインクにより、情報領域２に記録されている情報に関係を有する文字情報（例えば、アーチスト名、ディスクのタイトル、製造販売者の商標等）やその他の文字情報及びイラスト等の図柄が印刷された第１の表示層１０及び第２の表示層１１が形成されている。
【００３２】
ここで、第１の表示層１０は、透明基板１側から環状領域５を通して見える領域のみに上記文字情報や図柄を有しており、しかも、この文字情報又は図柄は、図４に示すように、透明基板１側から見た場合に正対して見える逆表示１２となっている。一方、第２の表示層１１については、従来のＣＤ等と同様に、透明基板１と反対側（図３の上方）から見て、文字又は図柄が正対して見えるように印刷されている。
【００３３】
このような構成とすることで、従来のＣＤと異なり、透明基板１側からも印刷表示を視認することができるので、ディスクのどちら側から見ても、該ディスクの内容等を知ることができる。また、従来のＣＤよりも、多くの情報を表示することができる。
【００３４】
また、第１の表示層１０と第２の表示層１１の間に、白インク等の単色のインク層を形成しておけば、第１の表示層１０の表示が第２の表示層１１から（または第２の表示層１１の表示が第１の表示層１０から）透けて見えるという弊害を防止することができる。
【００３５】
次に、本発明の光情報記録媒体のさらに他の実施例について説明する。図５は、本発明の第２の実施例である光情報記録媒体の断面を示す模式図である。図６は、図５の光情報記録媒体を印刷層側から見た状態を示す模式図である。図中、図１及び図２と同じ箇所を示すものには同じ符号を付した。１３は内周表示層、１４は外周表示層、１５は境界領域を示す。
【００３６】
本実施例の光情報記録媒体において、上述の第１の実施例の光情報記録媒体の構成と異なる点は、表示層が環状の境界領域１５を介して内周表示層１３と外周表示層１４に分かれている点である。透明保護層８の表面の情報領域２の外周端に相対する位置から内側には、紫外線硬化樹脂等の樹脂に染料または顔料を混合したインクにより、情報領域２に記録されている情報に関係を有する文字情報（例えば、アーチスト名、ディスクのタイトル、製造販売者の商標等）やその他の文字情報及びイラスト等の図柄が印刷された内周表示層１３が形成されている。
【００３７】
また、内周表示層１３の外側には、目視で確認できるだけの幅（数ｍｍ以上）の境界領域１５を介して、紫外線硬化樹脂等の樹脂に染料または顔料を混合したインクにより、情報領域２に記録されている情報に関係を有する文字情報（例えば、アーチスト名、ディスクのタイトル、製造販売者の商標等）やその他の文字情報及びイラスト等の図柄が印刷された外周表示層１４が形成されている。
【００３８】
したがって、ユーザは表示層側からディスクを見た場合においても、境界領域１５によって情報領域２の外周端を判別することができ、情報領域２を手指等で触れないようにしようと意識することができる。本実施例においても、第２の実施例と同様に表示層を２層に形成することができる。
【００３９】
上記実施例では、ＣＤ等の単板ディスクについて記載したが、ＤＶＤ−５のような貼り合わせ型の光情報記録媒体で片面に表示層を具備するダミー基板を有する構成の光情報記録媒体にも本発明は同様に実施することができる。
【００４０】
【発明の効果】
本発明の光情報記録媒体は、全てのＣＤ再生装置によって再生可能であり、かつ、ユーザがひとめで１２ｃｍマキシＣＤであると認識ができ、従来の１２ｃｍマキシＣＤと同様に情報領域を目視により認識することができる。また、従来のＣＤとは異り、再生面側からも印刷表示を視認することができる。
【図面の簡単な説明】
【図１】本発明の第１の実施例である光情報記録媒体を再生面側から見た状態を示す模式図。
【図２】図１の光情報記録媒体の断面を示す模式図。
【図３】本発明の第２の実施例である光情報記録媒体の断面を示す模式図。
【図４】図３の光情報記録媒体を再生面側から見た状態を示す模式図。
【図５】本発明の第２の実施例である光情報記録媒体の断面を示す模式図。
【図６】図５の光情報記録媒体を印刷層側から見た状態を示す模式図。
【符号の説明】
１  透明基板
２  情報領域
３  非情報領域
４  第１の反射層
５  環状領域
６  第２の反射層
７  中心孔
８  透明保護層
９  表示層
１０  第１の表示層
１１  第２の表示層
１２  逆表示
１３  内周表示層
１４  外周表示層
【図１】
0003677697.tif 000002
【図２】
0003677697.tif 000003
【図３】
0003677697.tif 000004
【図４】
0003677697.tif 000005
【図５】
0003677697.tif 000006
【図６】
0003677697.tif 000007